(57)【要約】  【課題】  簡単、安価な構成で防犯性を高めた窓サッシの施錠装置を提供する。  【解決手段】  内側サッシ４の内合せ枠部５に内蔵するように内外方向に移動する進退部材１２を取付け、外側サッシ７の外合せ枠部８に係合受部９を取付け、進退部材１２の先端部を係合受部９にネジ係合させることによって施錠状態とし、進退部材１２の先端部と係合受部９のネジ係合を解除させることによって解錠状態とし、内合せ枠部５に収容された弾性部材１８の付勢力によって解錠時に進退部材１２を内合せ枠部５内に収容させ、進退部材１２の後端部に被連結部１５を設け、進退部材１２とは別体の鍵具３の連結部２２を、進退部材１２の被連結部１５と連結して鍵具３を回転させることによってネジ係合の進行と解除を行うように構成した。【選択図】  図１
0003121339.tif 000002
【実用新案登録請求の範囲】
【請求項１】
内側サッシの内合せ枠部に内蔵するように内外方向に移動する進退部材を取付け、外側サッシの外合せ枠部に係合受部を取付け、前記進退部材の先端部を前記係合受部にネジ係合させることによって施錠状態とし、前記進退部材の前記先端部と前記係合受部のネジ係合を解除させることによって解錠状態とするサッシの施錠装置であって、
前記内合せ枠部に収容された弾性部材の付勢力によって解錠時に前記進退部材を前記内合せ枠部内に収容させるように構成し、前記進退部材の後端部に被連結部を設け、前記進退部材とは別体の鍵具の連結部を、前記進退部材の前記被連結部と連結して前記鍵具を回転させることによって前記ネジ係合の進行と解除を行うように構成したことを特徴とする、サッシの施錠装置。
【請求項２】
請求項１に記載のサッシの施錠装置において、前記進退部材の前記先端部を雄ネジ部とし、前記係合受部に雌ネジ部を設けた、サッシの施錠装置。
【請求項３】
請求項１から請求項２のいずれか一項に記載のサッシの施錠装置において、前記連結部を突条又は凹条が形成された円柱形に形成し、前記被連結部を凹条又は突条が形成された円形の係合凹部に形成した、サッシの施錠装置。
【請求項４】
請求項１から請求項３のいずれか一項に記載のサッシの施錠装置において、前記弾性部材をスプリングで構成し、収容部材に前記スプリングと前記進退部材を収容し、その収容部材を内合せ枠部に取付けた、サッシの施錠装置。
【請求項５】
請求項１から請求項４のいずれか一項に記載のサッシの施錠装置において、前記被連結部を係合凹部とし、その係合凹部の底面に前記連結部以外の棒状体の係合を抑制する突出部を設けた、サッシの施錠装置。
【考案の詳細な説明】
【技術分野】
【０００１】
本考案はサッシの施錠装置に関し、特に防犯性を高めたサッシの施錠装置に関する。
【背景技術】
【０００２】
従来、窓サッシはデザイン性、防音性などの機能のみならず、防犯性の高いものが望まれており、防犯性に配慮した窓サッシは数多く提案されている。
例えば、特許文献１には、クレセント錠の位置を外側から分かりにくくするために、クレセント錠を窓サッシの内合せ枠部に内蔵した技術が公開されている。
【０００３】
また、人が侵入できない程度に窓サッシを開けた状態でそれ以上開けることができないようにした換気用補助錠も提案されている。この換気用補助錠は窓サッシ平面に対してシーソー式に上下動するストッパを備え、そのストッパによって窓サッシが開くことができないように構成されている場合が多い。
【特許文献１】実開平０２−６２０７１「サッシの施錠装置」
【考案の開示】
【考案が解決しようとする課題】
【０００４】
上記従来技術は下記のような課題がある。
特許文献１に開示された構成では、クレセント錠の位置は窓サッシの外側から見えにくいが、クレセント錠自体は手動で簡単に開けることができることに変わりない。したがって、クレセント錠の内蔵位置さえ分かれば、泥棒等は比較的簡単に室内へ侵入することができる。
【０００５】
一方、前記した換気用補助錠では、窓サッシ平面に対してストッパが突出する構成なので、泥棒等はストッパの取付け位置が分かりやすく、ストッパを破壊するなどの方法によって室内へ侵入される虞がある。
これに対して、車のキーやドアのキーのような個別の鍵によって解錠、施錠ができる施錠装置を窓サッシに使用することも考えられる。しかし、複雑な施錠装置を窓サッシに採用することはコストが高くなる。さらに、キーの回転によって錠の係止部が横方向に突出する構成の場合は、係止部が横方向に移動するスペースが必要であり、窓サッシの合せ枠部幅を大きくしないと取付けができない場合が多い。
【０００６】
本考案は上記課題に鑑みてなされたものであり、本考案の目的は、上記課題を解決できるサッシの施錠装置を提供することにある。
具体的な目的の一例を示すと、以下の通りである。
（ａ）簡単かつ安価な構成で、防犯性を高めたサッシの施錠装置を提供する。
（ｂ）ある程度、合せ枠部の幅が狭い場合でも取付け可能なサッシの施錠装置を提供する。
なお、上記に記載した以外の考案の課題、その解決手段及びその効果は、後述する明細書内の記載において詳しく説明する。
【課題を解決するための手段】
【０００７】
本考案は多面的に表現できるが、例えば、代表的なものを挙げると次のように構成したものである。符号は参考までに、後述する実施形態に示す構成要素に対応させて付している。なお、本考案の構成は符号を付けた実施形態の具体的な構成に限定されない。
第１考案に係るサッシの施錠装置は、内側サッシ４の内合せ枠部５に内蔵するように内外方向に移動する進退部材１２を取付け、外側サッシ７の外合せ枠部８に係合受部９を取付け、前記進退部材１２の先端部を前記係合受部９にネジ係合させることによって施錠状態とし、前記進退部材１２の前記先端部と前記係合受部９のネジ係合を解除させることによって解錠状態とするサッシの施錠装置であって、
前記内合せ枠部５に収容された弾性部材１８の付勢力によって解錠時に前記進退部材１２を前記内合せ枠部５内に収容させるように構成し、前記進退部材１２の後端部に被連結部１５を設け、前記進退部材１２とは別体の鍵具３の連結部２２を、前記進退部材１２の前記被連結部１５と連結して前記鍵具３を回転させることによって前記ネジ係合の進行と解除を行うように構成したことを特徴とする。
【０００８】
第２考案は、第１考案において、前記進退部材１２の前記先端部を雄ネジ部１１とし、前記係合受部９に雌ネジ部１０を設けたことを特徴とする。
第３考案は、第１考案から第２考案のいずれか一つに記載の考案において、前記連結部２２を突条２３又は凹条３５が形成された円柱形に形成し、前記被連結部１５を凹条３５又は突条２３が形成された円形の係合凹部１７に形成したことを特徴とする。
【０００９】
第４考案は、第１考案から第３考案のいずれか一つに記載の考案において、前記弾性部材１８をスプリング１３で構成し、収容部材６に前記スプリング１３と前記進退部材１２を収容し、その収容部材６を内合せ枠部５に取付けたことを特徴とする。
【００１０】
第５考案は、第１考案から第４考案のいずれか一つに記載の考案において、前記被連結部１５を係合凹部１７とし、その係合凹部１７の底面３７に前記連結部２２以外の棒状体の係合を抑制する突出部３８を設けたことを特徴とする。
【００１１】
以下、上記第１考案〜第５考案の各構成について説明する。
第１考案において、「ネジ係合」とは雄ネジ部と雌ネジ部の螺合による係合をいう。「合せ枠部」とは窓サッシ、扉サッシ、戸サッシなどにおいて、外側サッシ、内側サッシの板面を保持する枠部がそれぞれ向い合って重なっている部分を言う。
第１考案においては、第２考案の構成だけでなく、進退部材１２の先端部を雌ネジ部１０とし、前記係合受部９に雄ネジ部１１を設けた構成も含む。
第１考案において、「内側サッシの内合せ枠部に内蔵する」とは、内合せ枠部内に完全に収容される場合と、一部が内合せ枠部から露出した場合も含む。合せ枠部内に内蔵される度合いが高いほど、外部から見えにくくなり好ましい。
【００１２】
第３考案において、突条２３及び凹条３５は、進退部材１２と鍵具３との連結を行う係合手段として機能する。
第４考案において、収容部材６は、サッシの製造時に内合せ枠部５の形成と同時に形成することもできる。
【考案の効果】
【００１３】
以下、各考案の効果などについて説明する。
第１考案であれば、以下の（イ）〜（ニ）の特有の効果を有する。
（イ）内側サッシの内合せ枠部に内蔵するように進退部材を取付けているので、必要に応じて、前記ストッパとは違って外から見た場合に進退部材の位置が分かりにくくすることができ、防犯性を高めることができる。
（ロ）内合せ枠部に収容された弾性部材の付勢力によって解錠時に進退部材を内合せ枠部内に収容させるように構成したので、解錠時に進退部材が内合せ枠部から突出してしまって外側サッシと内側サッシの移動を妨げることがなくなる。
（ハ）施錠状態を解除するには別体の鍵具が必要であるから、泥棒などは、鍵具を発見できない限り、室内への侵入は難しくなる。
（ニ）雄ネジ部と雌ネジ部とのネジ係合を用いた構成なので横幅を狭くできる。
【００１４】
第２考案であれば、進退部材の先端部を雄ネジ部とし、係合受部に雌ネジ部を設けたので、連結部材の先端部の径を小さくできるとともに、係合受部もコンパクトに形成できる。
【００１５】
第３考案であれば、連結部の突条を被連結部の凹条に係合させることによって、鍵具と進退部材とを回転可能に連結できる。又は連結部の凹条を被連結部の突条に係合させることによって鍵具と進退部材とを回転可能に連結できる。さらに、突条又は凹条が形成される基本形状を円柱又は円形の係合凹部に構成することによって、基本形状を四角形や三角形に構成するよりも、鍵具以外の部材で進退部材を回転させることが難しくなり、防犯性を高めることができる。
【００１６】
第４考案であれば、進退部材とスプリングをサッシの内合せ枠部に取付ける作業を簡単にすることができる。
第５考案であれば、鍵具の連結部以外の棒状体の係合を抑制することができるので、防犯性を高めることができる。
【考案を実施するための最良の形態】
【００１７】
以下、本考案に係るサッシの施錠装置の実施形態を図面に基づき説明する。
図１、図２はそれぞれ本考案の第１実施形態に係る施錠装置を説明するための窓サッシ合せ枠部の横断面図であり、図１は解錠状態の図、図２は施錠状態の図である。
図３は施錠装置の分解斜視図である。
【００１８】
図１に示すように、本実施形態の施錠装置１は、内側サッシ４の内合せ枠部５と外側サッシ７の外合せ枠部８に設けられる。内側サッシ４の内合せ枠部５に内蔵するように内外方向に移動する進退部材１２が取付けてある。また、外側サッシ７の外合せ枠部８に係合受部９を取付けてある。
【００１９】
進退部材１２は先端側（室外側）に雄ネジ部１１を備え、後端側（室内側）に被連結部１５を備えた部材である。その被連結部１５は係合凹部１７で構成してあり、その係合凹部１７に後述する鍵具３の連結部２２が挿入される。
【００２０】
係合受部９は雌ネジ部１０を備えた取付け部材で構成してある。そして、進退部材１２の雄ネジ部１１を係合受部９の雌ネジ部１０を螺合させることによって施錠状態とし、雄ネジ部１１と雌ネジ部１０を解除させることによって解錠状態とするように構成してある。
【００２１】
図１〜図３に示す施錠装置１は錠具２と鍵具３とから構成してある。錠具２は、内側サッシ４の内合せ枠部５に内蔵するように取付けられる収容部材６と、前記した係合受部９とから構成してある。
【００２２】
収容部材６内には、前記した進退部材１２と、解錠状態において進退部材１２を内合せ枠部５内に戻す作用のある弾性部材１８としてのスプリング１３が収容してある。
【００２３】
収容部材６はケース部３０と蓋部３１とで構成してある。ケース部３０内には進退部材１２及びスプリング１３が収容される。ケース部３０には雄ネジ部１１が進退する第１開口２９（図１参照）が設けてある。蓋部３１には鍵具３の連結部２２が挿入される第２開口３２（図１参照）が設けてある。ケース部３０は内側サッシ４の内合せ枠部５内部に挿入固定される。その固定されたケース部３０に室内側から蓋部３１を螺合によって着脱自在に取付ける。なお、ケース部３０は内側サッシ４を製造するときに内合せ枠部５と一体的に形成してもよい。
【００２４】
図１に示すように、前記スプリング１３の内側の一端は進退部材１２の内側受面２４に圧接し、外側の他端はケース部３０の外側受面３３に圧接している。進退部材１２の内側受面２４の構成は、実質的にスプリング１３を受止めることができる構成であれば、特に限定されない。進退部材１２にはケース部３０の内壁に対して円滑に摺動するガイド部２８が設けられている。
【００２５】
スプリング１３は進退部材１２を内側に付勢するスプリングであって、進退部材１２の収容部材６内の状態を立設状態に維持するとともに、ガイド部２８と共同して、鍵具３の押す力にしたがって進退部材１２の雄ネジ部１１を雌ネジ部１０の方向に誘導する機能も果たしている。
【００２６】
図３に示すように、鍵具３は、把持部２０と、その把持部２０から棒状に延びる棒形部２１と、棒形部２１の先端に設けられた連結部２２とを備えている。連結部２２には複数の突条２３が設けられ、その突条２３が前記進退部材１２の係合凹部１７と一対一に嵌合して、鍵具３を回転させることによって進退部材１２を回転させることができるように構成してある。
【００２７】
図４（Ａ）〜（Ｄ）はそれぞれ前記係合凹部の構成を示す図であり、図４（Ａ）（Ｃ）（Ｄ）はそれぞれ進退部材の平面図、図４（Ｂ）は図４（Ａ）のＢ−Ｂ線縦断面図である。
図４（Ａ）に示す係合凹部１７は、前記連結部２２の突条２３（図３参照）が嵌合する凹条３５が円形凹部の内側壁面３６に８つ設けた構成としてある。係合凹部１７の底部３７（図４（Ｂ）参照）には突出部３８が設けられ、その突出部３８によって連結部２２以外の棒状体が係合凹部１７内に入れられて進退部材１２を回転させることを抑制している。一方、図３に示すように、鍵具３の連結部２２には前記突出部３８が挿入できる凹部２６が形成してある。
なお、突条又は凹条が形成される連結部の基本形状は円柱形が好ましい。また、凹条又は突条が形成される係合凹部の基本形状は円形の凹部であることが好ましい。
【００２８】
また、図４（Ｃ）に示す構成では、凹条３５は内側壁面３６に５つ設けられた構成が示してある。図４（Ｄ）に示す構成では、突条２３を係合凹部１７に設け、鍵具３の連結部２２の形状を凹条にする構成が示してある。このように、係合の組み合わせを多数種類設けることによって簡単な構成で十分な防犯性を有した施錠装置を提供できる。
【００２９】
本実施形態の動作について説明する。
図１に示すように、解錠状態では、進退部材１２はスプリング１３の作用により内合せ枠部５内に収容された状態になっている。この状態では、進退部材１２は突出していないので、内側サッシ４、外側サッシ７はそれぞれ自由に開閉移動できることになる。
【００３０】
この状態から、鍵具３の先端の連結部２２を進退部材１２の係合凹部１７に挿入嵌合させて、スプリング１３の押圧力に抗して外側サッシ７側へ押しつつ鍵具３を回転させると、進退部材１２の雄ネジ部１１は係合受部９の雌ネジ部１０と螺合し始めることになる。
【００３１】
さらに、鍵具３を回転させると図２に示すように、雄ネジ部１１が雌ネジ部１０へ螺合した状態になる。この状態が施錠状態である。この施錠状態では進退部材１２によって外合せ枠部８と内合せ枠部５は接続され、内側サッシ４と外側サッシ７は、開閉できない状態になる。施錠が完了すると、鍵具３と係合凹部１７の係合を解き、鍵具３を身につけておくか、又は侵入者に分かりにくい場所に鍵具３を隠しておけばよい。
【００３２】
本実施形態の構成であれば、進退部材１２が内合せ枠部５内に内蔵されている構成なので、外側から見たときに施錠装置がどこにあるか分りにくい利点がある。また、施錠装置を発見したとしても、鍵具３がなければ、錠具２は解錠できないので、泥棒などが部屋内に侵入するときは体が入れる大きさに窓サッシを破損する必要があり、防犯性を高くすることができる。
【００３３】
さらに、解錠状態から施錠状態に移行するときは進退部材１２が内側から外側へ進み、施錠状態から解錠状態に移行するときは進退部材１２が外側から内側へ退くだけなので、内合せ枠部５及び外合せ枠部８の幅が狭い一般的なサッシ枠であっても取付けることができる。
【００３４】
また、本施錠装置の主要構成部材は、雌ネジ部１０を備えた係合受部９と、雄ネジ部１１を備えた進退部材１２と、スプリング１３のみで構成されているので、構成が簡単で安価に製造できる。このため住宅にある全てのサッシにおいて本考案に係るサッシを採用したとしても、その費用は安いものとなる。
【００３５】
（第２実施形態）
図５、図６は、それぞれ本考案の第２実施形態を示す窓構成の図であり、図５はその窓構成の横断面図、図６はその窓構成の一部断面斜視図である。
この第２実施形態の特徴は、主に図５に示すように、外側の窓サッシ４０と内側の障子（以下、内障子という）４１がある窓構成に、前記実施形態に係る施錠装置を採用するために、内障子４１の合せ枠部４２に鍵具の棒形部２１が挿入できる挿通孔４３をそれぞれの障子４１に設け、その挿通孔４３から進退部材１２の係合凹部１７に前記連結部２２を挿入して、解錠及び施錠操作ができるようにしたものである。この構成では、内障子４１があるような窓サッシ４０であったとしても、窓サッシ４０の解錠、施錠操作をできる。
【００３６】
本考案は、前記実施形態のみならず、本考案の要旨を変更しない範囲で種々の変形が可能である。
（１）例えば、前記実施形態では進退部材の被連結部を係合凹部として説明したが、その係合凹部を内側サッシ枠部から突出しないようにされた係合凸部とし、鍵具の連結部を係合凹部で構成することも可能である。また、弾性部材をスプリングで構成したが板バネなどの各種の弾性部材を採用することも可能である。
【００３７】
（２）前記実施形態では、鍵部の連結部を円柱に突条を形成したものなどで構成したが、製造コストが高くなることを許容すれば、一般的なキーのような複雑な凹凸を備えた連結部で構成し、係合凹部をそのようなキーが挿入できる複雑な凹部で構成することも可能である。
【図面の簡単な説明】
【００３８】
【図１】図１は、本考案の第１実施形態に係る施錠装置において、解錠状態を示す横断面図である。
【図２】図２は、本考案の第１実施形態に係る施錠装置において、施錠状態を示す横断面図である。
【図３】図３は、第１実施形態に係る施錠装置の分解斜視図である。
【図４】図４（Ａ）〜（Ｄ）はそれぞれ係合凹部の構成を示す図であり、図４（Ａ）（Ｃ）（Ｄ）はそれぞれ進退部材の平面図、図４（Ｂ）は図４（Ａ）のＢ−Ｂ線縦断面図である。
【図５】図５は、本考案の第２実施形態を示す窓構成の横断面図である。
【図６】図６は、本考案の第２実施形態を示す窓構成の一部断面斜視図である。
【符号の説明】
【００３９】
１…施錠装置、３…鍵具、４…内側サッシ、７…外側サッシ、８…外合せ枠部、９…係合受部、１０…雌ネジ部、１１…雄ネジ部、１２…進退部材、１３…スプリング（１８…弾性部材）、１４…収容部材、１５…被連結部、１７…係合凹部、２２…連結部、２３…突条、３５…凹条、３８…突出部。
【図１】
0003121339.tif 000003
【図２】
0003121339.tif 000004
【図３】
0003121339.tif 000005
【図４】
0003121339.tif 000006
【図５】
0003121339.tif 000007
【図６】
0003121339.tif 000008